【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
企業データを管理するコンピューティングシステムの方法において、
第１ソース・コンピュータ化システムに関係する第１形式の企業情報を抽出し、
前記第１形式の前記企業情報を、第２中間形式である対応情報に変換し、かつ、
前記第２中間形式の前記企業情報を、ターゲットコンピュータ化システムに対応するターゲット形式に変換することを備え、前記第２中間形式は、顧客情報を捕獲するように適し、かつ、該第２中間形式の他のデータ構造によって参照される多数のカスタムデータタイプエレメントを含む方法。
【請求項２】
前記第１ソース・コンピュータ化システムと異なる第２ソース・コンピュータ化システムに関係する第３形式の企業情報を抽出し、
前記第３形式の前記企業情報を、前記第２中間形式である企業情報に変換し、かつ、
前記第２中間形式の企業情報を、前記ターゲット形式に変換することをさらに備える請求項１に記載の方法。
【請求項３】
前記顧客情報は、該顧客の業務の明確な状況を規定する情報を含む請求項１に記載の方法。
【請求項４】
前記カスタムデータタイプエレメントは、
アドレスカスタムデータタイプエレメント、
自動車取引カスタムデータタイプエレメント、
自動車ポリシーカスタムデータタイプエレメント、
自動車販売履歴カスタムデータタイプエレメント、
自動車サービス履歴カスタムデータタイプエレメント、
自動車サービス履歴仕事カスタムデータタイプエレメント、
自動車サービス修繕注文カスタムデータタイプエレメント、
残高証明カスタムデータタイプエレメント、
収入プロフィールカスタムデータタイプエレメント、
部品表コンポネントカスタムデータタイプエレメント、
部品表カスタムデータタイプエレメント、
業務ユニットカスタムデータタイプエレメント、を備える１以上のエレメントを含む請求項１に記載の方法。
【請求項５】
前記カスタムデータタイプエレメントは、
クレームカスタムデータタイプエレメント、
クレーム支払いデータタイプエレメント、
クラス属性カスタムデータタイプエレメント、
クラス属性値カスタムデータタイプエレメント、
クラスカスタムデータタイプエレメント、
接触先のカスタムデータタイプエレメント、
契約カスタムデータタイプエレメント、
価格表カスタムデータタイプエレメント、及び、
価格表ラインカスタムデータエレメント、を備える１以上のエレメントを含む請求項１に記載の方法。
【請求項６】
前記カスタムデータタイプエレメントは、
興信所報告カスタムデータタイプエレメント、
顧客のカスタムデータタイプエレメント、
従業員のカスタムデータタイプエレメント、
費用カスタムデータタイプエレメント、
費用ラインカスタムデータタイプエレメント、
金融口座カスタムデータタイプエレメント、
金融口座名義人カスタムデータタイプエレメント、
金融アプリケーションアカウントカスタムデータタイプエレメント、
金融アプリケーション担保カスタムデータタイプエレメント、
金融アプリケーションカスタムデータタイプエレメント、
金融アプリケーション財源カスタムデータタイプエレメント、及び、
財務表カスタムデータタイプエレメント、を備える１以上のエレメントを含む請求項１に記載の方法。
【請求項７】
前記カスタムデータタイプエレメントは、
予測カスタムデータタイプエレメント、
予測ライン詳細カスタムデータタイプエレメント、
製品カタログカスタムデータタイプエレメント、
製品カタログラインアイテムカスタムデータタイプエレメント、
製品カスタムデータタイプエレメント、
製品在庫位置カスタムデータタイプエレメント、
製品ラインカスタムデータタイプエレメント、
製品価格カスタムデータタイプエレメント、
インストール製品カスタムデータタイプエレメント、
価格表カスタムデータタイプエレメント、及び、
価格表ラインカスタムデータタイプエレメント、を備える１以上のエレメントを含む請求項１に記載の方法。
【請求項８】
前記カスタムデータタイプエレメントは、
注文書カスタムデータタイプエレメント、
注文書ラインアイテムカスタムデータタイプエレメント、
乗り物盗難防止デバイスカスタムデータタイプエレメント、
乗り物カスタムデータタイプエレメント、
乗り物オプションカスタムデータタイプエレメント、
人カスタムデータタイプエレメント、
ポリシーカスタムデータタイプエレメント、
位置カスタムデータタイプエレメント、
関連カスタムデータタイプエレメント、
代表カスタムデータタイプエレメント、
安全カスタムデータタイプエレメント、
サービス要求カスタムデータタイプエレメント、及び、
本セットカスタムデータタイプエレメント、を備える１以上のエレメントを含む請求項１に記載の方法。
【請求項９】
前記カスタムデータタイプエレメントは、
注文カスタムデータタイプエレメント、
注文ラインカスタムデータタイプエレメント、
注文タイプカスタムデータタイプエレメント、
組織カスタムデータタイプエレメント、
パーティ認証カスタムデータタイプエレメント、
パーティカスタムデータタイプエレメント、
支払カスタムデータタイプエレメント、
支払ラインカスタムデータタイプエレメント、
支払方法カスタムデータタイプエレメント、
支払期間カスタムデータタイプエレメント、及び、
支払タイプカスタムデータタイプエレメント、を備える１以上のエレメントを含む請求項１に記載の方法。
【請求項１０】
前記カスタムデータタイプエレメントは、
機会カスタムデータタイプエレメント、
機会ノートカスタムデータタイプエレメント、
機会収入アイテムカスタムデータタイプエレメント、
請求書カスタムデータタイプエレメント、
請求書ラインカスタムデータタイプエレメント、
請求書計画カスタムデータタイプエレメント、
請求書タイプカスタムデータタイプエレメント、
ライフポリシーカスタムデータタイプエレメント、
関係表カスタムデータタイプエレメント、を備える１以上のエレメントを含む請求項１に記載の方法。
【請求項１１】
前記カスタムデータタイプエレメントは、
在庫バランスデータタイプエレメント、
バランスの在庫バランス表バランスデータタイプエレメント、
在庫移動データタイプエレメント、
在庫位置カスタムデータタイプエレメント、
機能エリアカスタムデータタイプエレメント、
所有財産カスタムデータタイプエレメント、
世帯カスタムデータタイプエレメント、を備える１以上のエレメントを含む請求項１に記載の方法。
【請求項１２】
企業データ管理のための１以上の一連の命令を運ぶコンピュータ読み取り可能媒体において、１以上のプロセッサによる前記１以上の一連の命令の実行は、前記１以上のプロセッサに、
第１ソース・コンピュータ化システムに関係する第１形式の企業情報を抽出し、
前記第１形式の前記企業情報を、第２中間形式である対応情報に変換し、かつ、
前記第２中間形式の前記企業情報を、ターゲットコンピュータ化システムに対応するターゲット形式に変換すること、を実行させ、前記第２中間形式は、顧客情報を捕獲するように適し、かつ、該第２中間形式の他のデータ構造によって参照される多数のカスタムデータタイプエレメントを含むコンピュータ読み取り可能媒体。
【請求項１３】
企業情報を管理するデータスキーマにおいて、
アドレスカスタムデータタイプエレメント、
自動車取引カスタムデータタイプエレメント、
自動車ポリシーカスタムデータタイプエレメント、
自動車販売履歴カスタムデータタイプエレメント、
自動車サービス履歴カスタムデータタイプエレメント、
自動車サービス履歴仕事カスタムデータタイプエレメント、
自動車サービス修繕注文カスタムデータタイプエレメント、
残高証明カスタムデータタイプエレメント、
収入プロフィールカスタムデータタイプエレメント、
部品表コンポネントカスタムデータタイプエレメント、
部品表カスタムデータタイプエレメント、
業務ユニットカスタムデータタイプエレメント、を備えるカスタムデータエレメントを含むデータスキーマ。
【請求項１４】
前記カスタムデータタイプエレメントは、
クレームカスタムデータタイプエレメント、
クレーム支払いデータタイプエレメント、
クラス属性カスタムデータタイプエレメント、
クラス属性値カスタムデータタイプエレメント、
クラスカスタムデータタイプエレメント、
接触先のカスタムデータタイプエレメント、
契約カスタムデータタイプエレメント、
価格表カスタムデータタイプエレメント、及び、
価格表ラインカスタムデータエレメント、をさらに備える請求項１３に記載のデータスキーマ。
【請求項１５】
前記カスタムデータタイプエレメントは、
興信所報告カスタムデータタイプエレメント、
顧客のカスタムデータタイプエレメント、
従業員のカスタムデータタイプエレメント、
費用カスタムデータタイプエレメント、
費用ラインカスタムデータタイプエレメント、
金融口座カスタムデータタイプエレメント、
金融口座名義人カスタムデータタイプエレメント、
金融アプリケーションアカウントカスタムデータタイプエレメント、
金融アプリケーション担保カスタムデータタイプエレメント、
金融アプリケーションカスタムデータタイプエレメント、
金融アプリケーション財源カスタムデータタイプエレメント、及び、
財務表カスタムデータタイプエレメント、をさらに備える請求項１３に記載のデータスキーマ。
【請求項１６】
前記カスタムデータタイプエレメントは、
予測カスタムデータタイプエレメント、
予測ライン詳細カスタムデータタイプエレメント、
製品カタログカスタムデータタイプエレメント、
製品カタログラインアイテムカスタムデータタイプエレメント、
製品カスタムデータタイプエレメント、
製品在庫位置カスタムデータタイプエレメント、
製品ラインカスタムデータタイプエレメント、
製品価格カスタムデータタイプエレメント、
インストール製品カスタムデータタイプエレメント、
価格表カスタムデータタイプエレメント、及び、
価格表ラインカスタムデータタイプエレメント、をさらに備える請求項１３に記載のデータスキーマ。
【請求項１７】
前記カスタムデータタイプエレメントは、
注文書カスタムデータタイプエレメント、
注文書ラインアイテムカスタムデータタイプエレメント、
乗り物盗難防止デバイスカスタムデータタイプエレメント、
乗り物カスタムデータタイプエレメント、
乗り物オプションカスタムデータタイプエレメント、
人カスタムデータタイプエレメント、
ポリシーカスタムデータタイプエレメント、
位置カスタムデータタイプエレメント、
関連カスタムデータタイプエレメント、
代表カスタムデータタイプエレメント、
安全カスタムデータタイプエレメント、
サービス要求カスタムデータタイプエレメント、及び、
本セットカスタムデータタイプエレメント、をさらに備える請求項１３に記載のデータスキーマ。
【請求項１８】
前記カスタムデータタイプエレメントは、
注文カスタムデータタイプエレメント、
注文ラインカスタムデータタイプエレメント、
注文タイプカスタムデータタイプエレメント、
組織カスタムデータタイプエレメント、
パーティ認証カスタムデータタイプエレメント、
パーティカスタムデータタイプエレメント、
支払カスタムデータタイプエレメント、
支払ラインカスタムデータタイプエレメント、
支払方法カスタムデータタイプエレメント、
支払期間カスタムデータタイプエレメント、及び、
支払タイプカスタムデータタイプエレメント、をさらに備える請求項１３に記載のデータスキーマ。
【請求項１９】
前記カスタムデータタイプエレメントは、
機会カスタムデータタイプエレメント、
機会ノートカスタムデータタイプエレメント、
機会収入アイテムカスタムデータタイプエレメント、
請求書カスタムデータタイプエレメント、
請求書ラインカスタムデータタイプエレメント、
請求書計画カスタムデータタイプエレメント、
請求書タイプカスタムデータタイプエレメント、
ライフポリシーカスタムデータタイプエレメント、
関係表カスタムデータタイプエレメント、をさらに備える請求項１３に記載のデータスキーマ。
【請求項２０】
前記カスタムデータタイプエレメントは、
在庫バランスデータタイプエレメント、
バランスの在庫バランス表バランスデータタイプエレメント、
在庫移動データタイプエレメント、
在庫位置カスタムデータタイプエレメント、
機能エリアカスタムデータタイプエレメント、
所有財産カスタムデータタイプエレメント、
世帯カスタムデータタイプエレメント、をさらに備える請求項１３に記載のデータスキーマ。